(57)【特許請求の範囲】
【請求項１】
開口に封着される封止材を開口周りに被着する容器であって、
前記封止材に内容物を取り出すためのミシン目からなる開封用切断誘導線が設けられ、該切断誘導線の部分が容器本体開口縁部に接着され、そのミシン目の孔に接着剤が染み込んでその孔を目止めするとともに、上記切断誘導線に沿って分離した後の容器本体開口縁部に補強部が残るように構成されるとともに、
前記切断誘導線に沿って分離された封止材を内容物取り扱い構成部として用いるものであり、内容物取り扱い構成部は、上記分離された封止材の全体を折り曲げ成形し、計量部と把持部とが一体成形されたものであり、計量部の底部の両側部と奥部に、底部から立ち上がる側壁部、奥壁部を形成した容器。
【請求項２】
前記内容物が粉末洗剤である請求項１記載の容器。
【発明の詳細な説明】
【０００１】
【発明の属する技術分野】
本発明は、粉剤等を収容する容器に関する。
【０００２】
【従来の技術】
粉剤を収容する容器では、容器本体と蓋体とを板紙製とする一方、容器本体中にプラスチック製スプーンを入れてあり、このスプーンにより洗剤を計量して小出し可能としている。
【０００３】
然しながら、従来技術には以下の問題点がある。
▲１▼１枚の板紙で作られる容器本体開口部の向かい合う２つの側面に垂直な向きに圧縮力、或いは引張力が働いた場合、２つの側面板は力が加わった方向へ移動し、開口縁部全体がずれ変形し、安定した取出し作業を困難にする。
【０００４】
▲２▼スプーンが容器本体や、蓋体とは別体で添付されるので、部品点数が多くなり、構成部品の取り扱い、組み立てが煩雑になる。
【０００５】
▲３▼板紙製の容器本体、蓋体と、プラスチック製のスプーンが混在使用され、使用後の廃棄段階で材料毎に分別廃棄しなければならず、廃棄性が悪い。
【０００６】
【発明が解決しようとする課題】
本発明の課題は、容器本体の開口縁部全体のずれ変形を防止することにある。
【０００７】
また、本発明の課題は、内容物取り扱い部材付き容器において、容器の組立性と廃棄性を向上することにある。
【０００８】
【課題を解決するための手段】
請求項１に記載の本発明は、開口に封着される封止材を開口周りに被着する容器であって、前記封止材に内容物を取り出すためのミシン目からなる開封用切断誘導線が設けられ、該切断誘導線の部分が容器本体開口縁部に接着され、そのミシン目の孔に接着剤が染み込んでその孔を目止めするとともに、上記切断誘導線に沿って分離した後の容器本体開口縁部に補強部が残るように構成されるとともに、前記切断誘導線に沿って分離された封止材を内容物取り扱い構成部として用いるものであり、内容物取り扱い構成部は、上記分離された封止材の全体を折り曲げ成形し、計量部と把持部とが一体成形されたものであり、計量部の底部の両側部と奥部に、底部から立ち上がる側壁部、奥壁部を形成したものである。
【０００９】
【発明の実施の形態】
容器１０は、図１に示す如く、粉末洗剤が収容されて開口を有する容器本体１１と、容器本体１１の開口回りに封着される封止材１３と、容器本体１１の開口回りに封止材１３を覆って被着される蓋体１２とから構成される。
【００１０】
（容器本体１１の構成）
容器本体１１は、板紙からなり、右側面板２１、正面板２２、左側面板２３、背面板２４のそれぞれを互いに罫線を介した状態で備え、右側面板２１、正面板２２、左側面板２３、背面板２４の一側に罫線を介して底板を備える。
【００１１】
（封止材の構成）
封止材１３は、容器本体１１の側面板２１、正面板２２、側面板２３、背面板２４の上縁寄り外側面に外嵌合で接着される貼付板７１〜７４と、容器本体の開口縁部に沿う切断誘導線４１を備え、切断誘導線４１により囲まれる天面部に内容物取り扱い構成部としてのスプーン構成部１４を備えている。スプーン構成部１４は、封止材の天面部ほぼ全体よりなり、封止材１３に設けてある開封開始孔形成部４２に押込み挿入した指先により該封止材１３から切断誘導線４１に沿って分離され、該スプーン構成部１４自体に設けられている折り線に沿ってスプーン１６を折り曲げ形成可能としている。また、封止材１３が切断誘導線４１に沿って分離除去された容器本体１１の４つの開口縁部にはそれぞれ補強部４１Ａが残るようにしている。尚、切断誘導線４１で切った内容物取り扱い構成部を更に切断し加工してスプーン構成部としても良い。
【００１２】
（内容物取り扱い部材の構成）
スプーン１６を構成するスプーン構成部１４は、図２（Ｄ）に示す如く、計量部４８と把持部４９とが一体成形されたものであり、計量部４８が粉粒体としての粉末洗剤を計量する。
【００１３】
スプーン構成部１４は、図２（Ａ）に示す如く、第１山折り罫線５１、 2本の第２山折り罫線５２、 2本の第３山折り罫線５３、 2本の第１谷折り罫線６１、第２谷折り罫線６２、 2本の第３谷折り罫線６３を備える。これにより、スプーン構成部１４にあっては、第１山折り罫線５１を山折りに折り曲げて把持部４９の差込部４９Ａを形成し（図２（Ｂ））、両第１谷折り罫線６１を谷折りに折り曲げ（図２（Ｃ））、計量部４８の底部４８Ａの両側壁部４８Ｂ、４８Ｂを広げるようにしながら、把持部４９を起こし上げ、把持部４９の一方の差込部４９Ａを他方の差込部４９Ａに差込固定化するとともに、計量部４８の奥壁部４８Ｃを形成し、スプーン１６とする（図２（Ｄ））。これにより、スプーン１６は、計量部４８の底部４８Ａの両側部と奥部に、底部４８Ａから立ち上がる側壁部４８Ｂ、４８Ｂ、奥壁部４８Ｃを形成し、粉末洗剤のすくい込みの確実容易を実現可能としている。
【００１４】
従って、請求項１の本発明によれば下記▲１▼の作用がある。
▲１▼容器本体天面部を切断誘導線に沿って分離後、該容器本体の開口縁部周りに補強部が容器に残るよう構成したので、上記容器本体の開口縁部全体のずれ変形の防止ができる。
【００１５】
また、請求項２の本発明によれば下記▲２▼〜▲５▼の作用がある。
▲２▼封止材に内容物取り扱い構成部を設けたので、容器の構成部品点数が内容物取り扱い部材だけのために増加することにならない。従って、容器の構成部品点数を可及的に少なくし、容器の組立工数も可及的に少なくしながら、内容物取り扱い部材を備えることができる。
【００１６】
▲３▼内容物取り扱い部材が容器の主構成材料である封止材に組み込まれており、容器の主構成材料を単一化しながら、内容物取り扱い部材を備えることができる。従って、容器の使用後の廃棄段階で分別廃棄する必要がなく、廃棄性を向上できる。
【００１７】
▲４▼封止材の内容物取り扱い構成部を分離した後の残りの部分が、容器本体の開口回りに残存して容器本体の開口回りを補強できる。
【００１８】
▲５▼封止材の切断誘導線に沿って分離された全部分が内容物取り扱い部材として使用され、内容物取り扱い部材を提供することにともなうゴミが出ない。
【００１９】
更に、請求項３の本発明によれば下記▲６▼の作用がある。
▲６▼封止材の切断誘導線の部分が容器本体の開口縁部に接着される。従って、切断誘導線を構成するミシン目の孔に接着剤が染み込んでこの孔を目止めするものとなり、封止材によるシール性を向上できる。これにより、内容物のもれ、内容物の吸湿固化を防止できる。
【００２０】
【発明の効果】
以上のように本発明によれば、容器本体の開口縁部全体のずれ変形の防止することができる。
【００２１】
また、本発明によれば、内容物取り扱い部材付き容器において、容器の組立性と廃棄性を向上することができる。
【図面の簡単な説明】
【図１】図１は容器の開封状態を示す模式図である。
【図２】図２はスプーンの組立手順を示す模式図である。
【符号の説明】
１０  容器
１１  容器本体
１１Ａ  開口
１２  蓋体
１３  封止材
１４  スプーン構成部（内容物取り扱い構成部）
１６  スプーン（内容物取り扱い部材）
４１  切断誘導線
４１Ａ  補強部
【図１】
0003636278.tif 000002
【図２】
0003636278.tif 000003